(57)【要約】【課題】短時間で設置および撤去でき、軽量な煙突内落下物防護装置を提供する。【解決手段】煙突２の筒身３内に配置されて落下物を受け止める煙突内落下物防護装置１であって、内部にエアを供給することにより膨張し、外周が筒身３の内壁面に密着するバルーン１１と、バルーン１１の水平方向上面または下面のうち少なくとも一方の面に取り付けられる防護シート１２とからなり、バルーン１１は、膨張時の形状が、水平方向中央に穴部１１ａが形成される環状であり、防護シート１２は、穴部１１ａを塞ぐように取り付けられている。【選択図】図１
2014136892.tif 000002
【特許請求の範囲】
【請求項１】
煙突の筒身内に配置されて落下物を受け止める煙突内落下物防護装置であって、
内部にエアを供給することにより膨張し、外周が前記筒身の内壁面に密着するバルーンと、前記バルーンの水平方向上面または下面のうち少なくとも一方の面に取り付けられる防護シートとからなり、
前記バルーンは、膨張時の形状が、水平方向中央に穴部が形成される環状であり、前記防護シートは、前記穴部を塞ぐように取り付けられていることを特徴とする、煙突内落下物防護装置。
【請求項２】
前記防護シートは、二層またはそれ以上の複層構造であることを特徴とする、請求項１に記載の煙突内落下物防護装置。
【請求項３】
複層構造の前記防護シートのうち、前記筒身の上側に取り付けられる防護シートは、衝撃吸収材からなることを特徴とする、請求項２に記載の煙突内落下物防護装置。
【発明の詳細な説明】
【技術分野】
【０００１】
本発明は、ガス排気等を行う煙突の筒身内で各種作業を行う際に、剥離した耐火材等の落下物から作業者を防護するために設置される、煙突内落下物防護装置に関するものである。
【背景技術】
【０００２】
ガス排気等を行う煙突内部の清掃や点検、補修等の作業を行う際には、作業者を乗せて煙突内を上下移動する作業用ゴンドラが、煙突の内部に仮設される。このゴンドラの組み立て作業は、構成部材を、煙突の下方側面にあるマンホールから煙突内部に搬入して行われる。
【０００３】
ところが、煙突の内壁に施工されている耐火材は、劣化により剥離しやすくなっており、剥離した耐火材等の落下物から作業者を防護するために、ゴンドラの組み立て前に、落下物から作業者を防護する装置を設けることが必要である。
【０００４】
従来、煙突の筒身の水平断面形状に沿って形成された金属板を、煙道から筒身内に搬入し、その金属板で作業空間の上部を覆って落下物から防護することがあった。ところが、金属板の場合、筒身の水平断面形状に合わせたサイズのものを搬入し、作業員が筒身内で作業することなく筒身の内壁に密着させることは困難である。また、耐火材の破損等によって、筒身内部の水平断面形状は変形しており、その変形により内壁と金属板との間に隙間が生じると、隙間を落下物が通過することがある。
【０００５】
特許文献１には、伸縮用バルーンと屋根用バルーンとからなる煙突内作業用防護装置が記載されている。この防護装置は、先ず、伸縮用バルーンおよび屋根用バルーンを、エアを抜いた状態で煙突の筒身内に搬入し、伸縮用バルーンにエアを供給して屋根用バルーンを所定高さに持ち上げ、その後屋根用バルーンにエアを供給し、屋根用バルーンを筒身内に内接させて屋根を形成する。その後、伸縮用バルーンのエアを抜いて伸縮用バルーンを屋根バルーンの下面まで引き上げると、屋根用バルーンの下方に空間が形成され、この空間で作業用ゴンドラの組み立て等の作業が行われる。各バルーンへのエアの供給または抜き取りは、筒身の外部からの作業で行うことができるうえ、屋根用バルーンが空気圧で筒身の内壁を押し付けることにより、内壁との間に隙間を生じることなく落下物を防ぐことができる。
【先行技術文献】
【特許文献】
【０００６】
【特許文献１】実開平３−９３５６１号公報
【発明の概要】
【発明が解決しようとする課題】
【０００７】
しかしながら、特許文献１に記載された屋根用バルーンは円筒状であり、多量のエアを要する。しかも、特許文献１では伸縮用バルーンにもエアの供給および抜き取りを行うため、屋根用バルーンを設置する際のエアの供給や、撤去時のエアの抜き取りに、長時間を要するという問題がある。また、円筒状のバルーンは重量が極めて大きい。
【０００８】
本発明の目的は、従来よりも短時間で設置および撤去でき、軽量な煙突内落下物防護装置を提供することにある。
【課題を解決するための手段】
【０００９】
上記問題を解決するため、本発明は、煙突の筒身内に配置されて落下物を受け止める煙突内落下物防護装置であって、内部にエアを供給することにより膨張し、外周が前記筒身の内壁面に密着するバルーンと、前記バルーンの水平方向上面または下面のうち少なくとも一方の面に取り付けられる防護シートとからなり、前記バルーンは、膨張時の形状が、水平方向中央に穴部が形成される環状であり、前記防護シートは、前記穴部を塞ぐように取り付けられていることを特徴とする、煙突内落下物防護装置を提供する。
【００１０】
前記煙突内落下物防護装置において、前記防護シートは、二層またはそれ以上の複層構造であってもよい。また、複層構造の前記防護シートのうち、前記筒身の上側に取り付けられる防護シートは、衝撃吸収材からなることが好ましい。
【発明の効果】
【００１１】
本発明によれば、バルーンに供給するエアを低減できるので、落下物から作業者を防護するバルーンを、短時間で設置および撤去することができる。また、バルーンが軽量化される。
【図面の簡単な説明】
【００１２】
【図１】本発明の実施形態にかかる煙突内落下物防護装置を設置した煙突内部の概要を示す断面図である。
【図２】図１のＡ−Ａ線から見た横断面図である。
【図３】煙突内落下物防護装置の構成例を示す拡大断面図である。
【発明を実施するための形態】
【００１３】
以下、本発明の実施の形態を、図に基づいて説明する。図１および図２は、本発明にかかる煙突内落下物防護装置１を備えた煙突２の内部を示している。煙突２は、地面に対して垂直に延びる筒身３を有している。筒身３は、水平方向の断面形状が円形であり、内径は例えば４〜６ｍ程度である。筒身３の内壁には耐火材４が施工され、筒身３の中間部に、略水平に延びる煙道５が、筒身３に連通して形成されている。さらに筒身３の下部側面に、マンホール６が設けられている。
【００１４】
煙突内の清掃や耐火材４のメンテナンス等の作業を行う際には、筒身３内に、作業用ゴンドラ９が設置される。ゴンドラ９は、作業者１０を乗せて筒身３内を上下移動することができる。ゴンドラ９を構成する資材は、下部のマンホール６から搬入され、作業者１０によって、筒身３内で組み立てられる。
【００１５】
かかる場合、ゴンドラ９の組み立て作業に先立って、ゴンドラ９を組み立てる作業者１０を、劣化した耐火物等の落下物から防護するために、ゴンドラ９を組み立てる前に、煙突内落下物防護装置１が筒身３内に設置される。
【００１６】
本実施の形態にかかる煙突内落下物防護装置１は、図２、図３に示したように、バルーン１１と、バルーン１１の上面に取り付けられた防護シート１２とで構成される。バルーン１１には、バルーン１１にエアを供給するエア供給手段２１と、バルーン１１内のエアを抜き取る排気手段２２とが接続される。バルーン１１は、エアを抜いた状態では略平坦で折りたたむことができ、エアを供給すると、中央に穴部１１ａを有する環状（ドーナツ形状）に膨らむ。また、膨らんだときの外周側には、防護シート１２を取り付けるために、紐を係止させるペケット（図示省略）が適宜間隔で設けられている。バルーン１１の材質としては、例えばターポリンが好適であるが、注入されたエアが漏れず高強度な素材であれば、合成樹脂、または天然繊維や化学繊維でもよい。
【００１７】
バルーン１１は、例えばバルーン１１の側方に連結されたチューブ２３およびチューブ２３の途中に設けられた切換弁２４を介して、エア供給手段２１および排気手段２２に接続される。エア供給手段２１は、例えばコンプレッサであり、排気手段２２は、例えば排気ポンプである。これらにより、バルーン１１へのエアの供給および抜き取りが行われる。
【００１８】
防護シート１２は、バルーン１１の穴部１１ａを塞ぐように、バルーン１１の上面を覆って取り付けられる。防護シート１２は、例えばバルーン１１の外周部に設けたペケット等に紐で結びつけて固定する。なお、防護シート１２は、バルーン１１の上面に限らず、下面に取り付けても良いし、上面および下面の両方に取り付けてもよい。また、防護シート１２は、複数枚に分割したものを継ぎ合わせて取り付けてもよい。
【００１９】
図３に示すように、防護シート１２は二層構造であり、材質として、バルーン１１設置時に上側に位置する第一の層１２１には、落下物の衝撃を吸収する低反発クッション材、下側の第二の層１２２には、引っ張り強度や摩擦抵抗、耐熱性に優れ破断しにくいアラミド繊維等が好ましい。尚、落下物の性質等により、防護シート１２の材質が適宜選択され、三層以上の複層構造としてもよい。
【００２０】
バルーン１１にエアが十分に供給され、バルーン１１の外周が筒身３の内壁に押し付けられると、エアの圧力によってバルーン１１が筒身３の内壁に密着し、落下物を堰き止めて、下方の作業者１０等を落下物から防護する。バルーン１１は環状であるため、従来の円筒形のバルーンに比べて供給するエアの量が少なくて済み、バルーン１１の設置時間を短縮できる。また、バルーン１１の構成材料を軽量化できる。そして、バルーン１１中央の穴部１１ａが防護シート１２で覆われていることにより、従来用いられてきた中実のバルーンと同様の防護効果を発揮する。さらに、バルーン１１を撤去する際にも、エアの抜き取り量が従来よりも少なくて済むので、撤去時間を短縮できる。
【００２１】
なお、筒身３の水平断面形状が正円でない場合でも、輪郭形状を筒身３の形状に合わせ、中央に穴部を有するようにバルーン１１を形成すればよい。
【００２２】
次に、本発明の煙突内落下物防護装置１を設置する手順の一例を説明する。
【００２３】
先ず、煙突内落下物防護装置１の資材の出入口として、煙道５の側面のマンホールを開放し、煙道５内に作業用足場を仮設する。
【００２４】
次に、煙道５から筒身３に向けてガイドレール３１を設置する。ガイドレール３１の先端は、例えば筒身３の内壁の、煙道５の対向側に予め取り付けた受け部材３２に係止させる。その後、ガイドレール３１上を走行するパレット３３を搬入し、パレット３３上に、エアを供給する前の折り畳んだバルーン１１を載置する。このとき、バルーン１１には、防護シート１２を予め取り付けておく。さらに、バルーン１１のエア供給口にチューブ２３の一端を連結し、チューブ２３の他端側は、切換弁２４を介して、煙道５の外部に設置したエア供給手段２１および排気手段２２に接続する。
【００２５】
パレット３３をガイドレール３１に沿って筒身３内の所定位置に搬入すると、エア供給手段２１からチューブ２３を介してバルーン１１にエアを供給する。エアの供給により、バルーン１１が環状に膨張し、防護シート１２がバルーン１１の例えば上面を覆う。バルーン１１の外周が筒身３の内壁に密着したところで、エアの供給を停止する。
【００２６】
こうして煙突内落下物防護装置１が設置された後、作業用ゴンドラ９を構成する資材を、下部のマンホール６から筒身３内へ搬入して、ゴンドラ９を組み立てる。ゴンドラ９を組み立てる作業スペースの上方に煙突内落下物防護装置１が設置されているので、耐火材４等が剥離して落下しても、ゴンドラ９を組み立てる作業者１０の安全を確保できる。
【００２７】
ゴンドラ９には、落下物を受け止める屋根が設けられているので、ゴンドラ９の組み立てが終了したら、煙突内落下物防護装置１は撤去される。すなわち、切替弁２４を排気側にし、排気手段２２によりチューブ２３を介してバルーン１１内のエアを抜き取り、バルーン１１が十分に萎んだ状態で、パレット３３をガイドレール３１に沿って煙道５側へ引き寄せる。その後、ガイドレール３１を筒身３から撤去し、ゴンドラ９を昇降させて、煙突２内の清掃や、耐火材４の点検および補修等を行う。
【００２８】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【実施例】
【００２９】
エア供給時の外径が４．５ｍ、穴部の径が３．５ｍの環状のバルーンにエアを供給し、さらにエアの抜き取りを行った。外径が同じ従来の円柱状のバルーンの場合、エアの供給および抜き取りに約４時間を要していたが、本発明の環状のバルーンの場合には、約２０分になり、大幅に短縮できた。また、バルーンを構成する部材の重量も、約４０％低減できた。
【産業上の利用可能性】
【００３０】
本発明は、筒状構造物の下部で作業を行う作業者を落下物から保護する煙突内落下物防護装置として適用できる。
【符号の説明】
【００３１】
１    煙突内落下物防護装置
２    煙突
３    筒身
４    耐火材
５    煙道
９    ゴンドラ
１０  作業者
１１  バルーン
１１ａ  穴部
１２  防護シート
２１  エア供給手段
２２  排気手段
２３  チューブ
【図１】
2014136892.tif 000003
【図２】
2014136892.tif 000004
【図３】
2014136892.tif 000005